(57)【要約】【課題】  配管を他部材の干渉から保護すると共に、充分な可撓性を備えた樹脂管であるフレキシブルホースの両端間に金属製の各種継手部材を適宜配管し接続する水道用フレキシブルホースによる埋設配管構造。【解決手段】    樹脂モノフィラメントの素線間を接着せずに編組したかご状筒体の樹脂外管に、柔軟な樹脂内管を挿通しつつ被覆してなるフレキシブルホースを形成し、上記フレキシブルホースの両端間は外周にパイプを外嵌して圧縮固定すると共に、内周にはホースニップルの取付け部を内嵌して加圧変形して固定し、上記フレキシブルホースを上記埋設配管構造中に適宜介在させつつ、上記フレキシブルホースの両端間に各種継手部材を接続する水道用フレキシブルホースによる埋設配管構造。【選択図】図２
2008025323.tif 000002
【特許請求の範囲】
【請求項１】
配管内を流れる水を各需要者に供給するための埋設配管構造において、樹脂モノフィラメントの素線間を接着せずに編組したかご状筒体の樹脂外管に、柔軟な樹脂内管を挿通しつつ被覆してなるフレキシブルホースを形成し、上記フレキシブルホースの両端部は外周にパイプを外嵌して圧縮固定すると共に、内周にはホースニップルの取付け部を内嵌して加圧変形して固定し、上記フレキシブルホースを上記埋設配管構造中に適宜介在させつつ、上記フレキシブルホースの両端間に各種継手部材を接続することを特徴とする水道用フレキシブルホースによる埋設配管構造。
【請求項２】
ホースニップルの先端部分は、ネジ式ホースニップルとするかナット式ホースニップルとするかは選択自在として組み込み可能とすることを特徴とする請求項１記載の水道用フレキシブルホースによる埋設配管構造。
【請求項３】
フレキシブルホースの両端部に配置し接続する各種継手部材は、公道側に布設された配管から分岐する金属製のサドル付き分水栓、宅地側に布設され設置される金属製の量水器、それらの間の適宜の位置に必要に応じて介在される金属製の止水栓装置であることを特徴とする請求項１又は２記載の水道用フレキシブルホースによる埋設配管構造。
【発明の詳細な説明】
【技術分野】
【０００１】  この発明は、特に水道管のように地中に埋設して使用される水道用フレキシブルホースによる埋設配管構造に関するものである。
【背景技術】
【０００２】  従来、上水道のような水道管は、配管内を流れる水を各需要者に供給するために、公道側に埋設された配管から分岐し各需要者の量水器側へと供給する構造になっている。このような公道側に埋設された配管から宅地側の各需要者の量水器までの間は、周知のように、地中に埋設して使用されることが殆どであり、また、分水栓や止水栓などのような各種の継手部材が数多く接続されている。【０００３】  図３に、従来の代表的な水道用埋設配管構造の一例を示す。公道Ａに布設（埋設）された配管１には、サドル付き分水栓２が分岐されている。サドル付き分水栓２は、公道Ａに埋設されている配管１が、上半部を保持するサドル部分２ａと下半部を保持する保持部分２ｂとによって挟み込まれ、それを挟み込むボルト・ナット棒２ｃ，２ｃによって結合されている。また、分水栓２の上部の本体部分２ｄは、配管１に通じる孔を底部に有し（図示略）、且つ、密閉キャップ２ｅとポート２ｆから構成され、サドル付き分水栓２を本体部分２ｄを所望の位置にセットしてから、密閉キャップ２ｅを開いた状態とし上記孔を介して配管１に穿孔することにより連通状態とされる。【０００４】  また、ポート２ｆからの先端側は樹脂管や分水栓，止水栓，量水器などのような各種の継手部材がと接続されているが、樹脂管は周知のようにポリエチレン管６によって形成されている。ポリエチレン管６は、その性質上硬くて曲げ難いという問題があり、直管部分の樹脂管として用いることはができるが、極端な屈曲部分などの配管にはポリエチレン管６を一旦切断し、エルボなどの曲がり継手７を介在させなければならない。【０００５】  最終的に、このように埋設配管構造の終端側は、宅地側となる各需要者の量水器５と接続されるのであるが、従来の水道用の埋設配管構造は、止水栓３。４，分水栓２などは金属製の継手部材により形成され、樹脂管はポリエチレン管６などとして構成されている。
【発明の開示】
【発明が解決しようとする課題】
【０００６】  このように、樹脂管としてポリエチレン管６を用いた従来の埋設配管構造の場合には、その性質上硬くて曲げ難いという問題があり、地中の埋設環境に適応すべく段差を避けたり障害物を迂回したりしなければならないため、配管構造自体も複雑化し、埋設配管構造中の継手部材も屈曲継手などが多数必要となる。したがって、切断などの作業の手間もかかると共に、屈曲継手などのコストも高くなり、且つ、全体的に相当な重量物となるなどの欠点を有している。【０００７】  この発明は、上記のような目的を達成するために、配管を他部材の干渉から保護すると共に、充分な可撓性を備えた樹脂管であるフレキシブルホースの両端部に、金属製の各種継手部材を適宜接続することができる水道用フレキシブルホースによる埋設配管構造を提供するものである。
【課題を解決するための手段】
【０００８】  この発明は、上記のような目的を達成するために、請求項１記載のように、配管内を流れる水を各需要者に供給するための埋設配管構造において、樹脂モノフィラメントの素線間を接着せずに編組したかご状筒体の樹脂外管に、柔軟な樹脂内管を挿通しつつ被覆してなるフレキシブルホースを形成し、上記フレキシブルホースの両端部は外周にパイプを外嵌して圧縮固定すると共に、内周にはホースニップルの取付け部を内嵌して加圧変形して固定し、上記フレキシブルホースを上記埋設配管構造中に適宜介在させつつ、上記フレキシブルホースの両端部に各種継手部材を接続することを特徴とする。また、請求項２記載のように、ホースニップルの先端部分は、ネジ式ホースニップルとするかナット式ホースニップルとするかは選択自在として組み込み可能とすることを特徴とする。また、請求項３記載のように、フレキシブルホースの両端部に配置し接続する各種継手部材は、公道側に布設された配管から分岐する金属製のサドル付き分水栓、宅地側に布設され設置される金属製の量水器、それらの間の適宜の位置に必要に応じて介在される金属製の止水栓装置であることを特徴とする。
【発明の効果】
【０００９】  この発明によれば、水道用の埋設配管構造において、配管を他部材の干渉から保護すると共に、充分な可撓性を備えた樹脂管であるフレキシブルホースの両端間に、金属製のサドル付き分水栓、量水器、止水栓装置を接続するものであるから、配管構造全体に係る屈曲部材などの継手部材をなくすることができ、作業性の向上やコストの低減化と共に、可撓性や軽量性などを達成することができる。
さらに、腐蝕しないため赤水の発生は皆無でありきわめて衛生的である，錆の発生もないので布設時のパイプ断面をそのまま保持でき、水量の変化がなく水洩れの心配がない，配管構造が可撓性に富むため、強い外力が加わっても吸収でき強度の地震にも充分耐えることができる，誰でも簡単に確実に配管作業を行なうことができる，漏水に伴う交通渋滞や二次災害のような路上での不測の事態の心配がなく、地域社会の円滑な運営に対する貢献度は非常に大きい，等の効果もある。
【発明を実施するための最良の形態】
【００１０】  以下、この発明の実施例を図面に基づき詳細に説明する。図１は、この発明に係る水道用の埋設配管構造の一例を示す説明図、図２は、水道用の埋設配管構造に係るフレキシブルホースの一例を示す側面図である。なお、従来と同一部材は同一符号を付して説明する。【００１１】  図１に示すように、この水道用埋設配管構造１０は、その殆んどの全体を金属製の部材ではなく樹脂製の部材で構成している。すなわち、配管１を屈曲可能な樹脂製のフレキシブルホース１２により形成し、それらの途中に金属製の各種継手部材である分水栓２，止水栓３．４，量水器５を接続するものである。【００１２】  配管１内を流れる水は、分岐されて各需要者に供給すべくサドル付き分水栓２を介して樹脂製のフレキシブルホース１２に引き出されている。樹脂製のフレキシブルホース１２の両端間には、金属製の各種継手部材が必要に応じて接続される。樹脂製のフレキシブルホース１２は、地中に埋設されて屈曲可能なように、すなわち地中や建物から加わる振動や土圧あるいは地盤沈下などに耐えられるような耐圧性と、地中の様々な障害物を避けるために屈曲性に優れる必要がある。【００１３】  このため、樹脂製のフレキシブルホース１２は、樹脂モノフィラメント１４ａの素線間を接着せずに編組したかご状筒体の樹脂外管１４を形成し、この樹脂外管１４の内側に内部を空洞部１３ａとした水の流れる柔軟な樹脂内管１３を挿通した構成とされており、樹脂外管１４は樹脂内管１３を挿通しつつこれを被覆し保護している。すなわち、樹脂製のフレキシブルホース１２は他部材の干渉から保護すると共に、樹脂製のフレキシブルホース１２自体は充分な可撓性を備えた樹脂管とされる。【００１４】  なお、樹脂製のフレキシブルホース１２の内側に挿通される樹脂内管１３は、樹脂製のものであれば良いがこの実施例のようにポリエチレン樹脂を好適とする。樹脂内管１３に外嵌される樹脂外管１４は、上記したように樹脂製のものであれば良いが樹脂モノフィラメントの素線間の編組性を考慮した場合にはポリエチレンテレフタレートが好適である。【００１５】  すなわち、樹脂製のフレキシブルホース１２は、樹脂外管１４であるかご状筒体内に囲繞され、軽量でフレキシブル性を有し、埋設時の荷重などの耐圧性に優れることとなる。また、樹脂製のフレキシブルホース１２の樹脂内管１３は、柔軟性があり長尺体としても屈曲性に優れるので、従来の樹脂管ポリエチレン管や金属製の継手部材ものに比べて経済性や施工性に優れると共に、取り扱い性が格段に優れることとなる。【００１６】  また、樹脂製のフレキシブルホース１２は、その両端部を外周よりパイプ１７を外嵌し圧縮固定している。また、その両端部の内周には、図中左側のホースニップル１５のように、ホースニップル１５の取付け部１５ｃを内嵌して加圧変形し、端部より引き出し堅牢に固定し、端部より引き出された側は中央部１５ｃを介してネジ式１５ａに形成されている。また、図中右側のホースニップル１６のように、ホースニップル１６の取付け部１６ｃを内嵌して加圧変形し端部より引き出し堅牢に固定すると共に、端部より引き出された側はナット式１６ｂに形成されている。すなわち、この樹脂製のフレキ���ブルホース１２は、その両端部の外周をパイプ１７により外嵌すると共に、その両端部の内周からはネジ式あるいはナット式のホースニップル１５，１６を選択的に固定する。【００１７】  そして、樹脂製のフレキシブルホース１２の両端部を処理したものを埋設配管構造１０に適宜介在させつつ合わせ、その樹脂製のフレキシブルホース１２の両端間、すなわち埋設配管構造１０に各種継手部材を接続する。この各種継手部材は、公道側に布設（埋設）された配管１から分岐する金属製のサドル付き分水栓２、宅地側に設置される金属製の量水器５、それらの間の適宜の位置に必要に応じて介在され金属製の止水栓３あるいは伸縮止水栓４からなる止水栓装置３．４などがある。【００１８】  サドル付き分水栓２は、配管１の上半部を保持するサドル部分２ａと下半部を保持する保持部分２ｂとによって挟み込まれ、それを挟み込むボルト・ナット棒２ｃ，２ｃによって結合されている。また、分水栓２の上部の本体部分２ｄは、配管１に通じる孔を底部に有し（図示略）、且つ、密閉キャップ２ｅとポート２ｆから構成され、サドル付き分水栓２を本体部分２ｄを所望の位置にセットしてから、密閉キャップ２ｅを開いた状態とし上記孔を介して配管１に穿孔することにより連通状態とされる。【００１９】  このように、この実施例によれば、配管内を流れる水を各需要者に供給するための埋設配管構造において、樹脂モノフィラメントの素線間を接着せずに編組したかご状筒体の樹脂外管を形成し、且つ、樹脂外管に対して柔軟な樹脂内管を挿通しつつ被覆してなるフレキシブルホースを形成する。そして、このフレキシブルホースの両端部を、フレキシブルホースの外周にパイプを外嵌して圧縮固定すると共に、フレキシブルホースの内周にはホースニップルの取付け部を内嵌して加圧変形して固定する。【００２０】  そして、ホースニップルの先端部分は、ネジ式ホースニップルとするかナット式ホースニップルとするかは選択自在として組み込み可能とし、フレキシブルホースの端部を処理する。このようなフレキシブルホースを埋設配管構造中に適宜介在させつつ、上記フレキシブルホースの両端間に各種継手部材を接続する。接続される各種継手部材は、公道側に布設された配管から分岐する金属製のサドル付き分水栓、宅地側に布設され設置される金属製の量水器、それらの間の適宜の位置に必要に応じて介在される金属製の止水栓あるいは伸縮止水栓からなる止水栓装置などである。【００２１】  このように、配管を他部材の干渉から保護すると共に、充分な可撓性を備えた樹脂管であるフレキシブルホースの両端部に、金属製の各種継手部材を適宜接続する水道用フレキシブルホースによる埋設配管構造を提供し、作業性の向上によりコストの低減化を図るものである。
【図面の簡単な説明】
【００２２】
【図１】この発明に係る水道用の埋設配管構造の一例を示す説明図である。
【図２】水道用の埋設配管構造に係るフレキシブルホースの一例を示す側面図である。
【図３】図３は、従来の水道用の埋設配管構造の一例を示す説明図である。
【符号の説明】
【００２３】１      配管
２      サドル付き分水栓
６      止水栓
７      量水器
１０    水道用の埋設配管構造
１１    配管
１２    フレキシブルホース
１３    樹脂内管
１４    樹脂外管
１４ａ  樹脂モノフィラメント
１５    ネジ式ホースニップル
１６    ナット式ホースニップル
１７    パイプ
１８    袋ナット
【図１】
2008025323.tif 000003
【図２】
2008025323.tif 000004
【図３】
2008025323.tif 000005